【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】
音信号を表現する少なくとも第１及び第２の発音単位波形データを記憶し、少なくとも第１の発音単位波形データは、有意の第１の波形データと非有意の第２の波形データとを含むメモリ手段と、
第１及び第２の発音単位波形データを読み出して、音信号を発生する音信号発生手段と、
少なくとも第１及び第２の発音単位波形データに対する発音開始指示を行う発音開始指示手段と、
前記発音開始指示手段による第１の発音単位波形データに対する発音開始指示が与えられて第１の発音単位波形データに基づく音信号が発生している状態において、
第２の発音単位波形データに対する発音開始指示が与えられたとき、第１の波形データに基づく音信号が発生中の場合には、少なくとも第１の波形データに基づく音信号を発生し終わってから、第２の発音単位波形データに基づく音信号を発生させ、
第２の発音単位波形データに対する発音開始指示が与えられたとき、第２の波形データに基づく音信号が発生中の場合には、第２の波形データに基づく音信号の発生を中断して、第２の発音単位波形データに基づく音信号を発生させるように、
前記音信号発生発生手段を制御する制御手段とを、
具備する音信号発生装置。
【請求項２】
音信号を表現する少なくとも第１及び第２の発音単位波形データを記憶し、少なくとも第１の発音単位波形データは、有意の第１の波形データと非有意の第２の波形データと有意の第３の波形データとを含むメモリ手段と、
第１及び第２の発音単位波形データを読み出して、音信号を発生する音信号発生手段と、
少なくとも第１及び第２の発音単位波形データに対する発音開始指示を行う発音開始指示手段と、
前記発音開始指示手段による第１の発音単位波形データに対する発音開始指示が与えられて第１の発音単位波形データに基づく音信号が発生している状態において、
第２の発音単位波形データに対する発音開始指示が与えられたとき、第１の波形データに基づく音信号が発生中の場合には、少なくとも第１の波形データに基づく音信号を発生し終わってから、第３の波形データに基づく音信号を発生させ、更に第３の波形データに基づく音信号を発生し終わってから、第２の発音単位波形データに基づく音信号を発生させ、
第２の発音単位波形データに対する発音開始指示が与えられたとき、第２の波形データに基づく音信号が発生中の場合には、第２の波形データに基づく音信号の発生を中断して、第３の波形データに基づく音信号を発生させ、更に第３の波形データに基づく音信号を発生し終わってから、第２の発音単位波形データに基づく音信号を発生させるように、
前記音信号発生発生手段を制御する制御手段とを、
具備する音信号発生装置。
【請求項３】
音信号を表現する発音単位波形データを記憶し、この発音単位波形データは、有意の第１の波形データと非有意の第２の波形データと有意の第３の波形データとを含むメモリ手段と、
前記発音単位波形データを読み出して、音信号を発生する音信号発生手段と、
発音開始指示を行う発音開始指示手段と、
発音停止指示を行う発音停止指示手段と、
前記発音停止指示が与えられた際に、第１の波形データに基づく音信号が発生中である場合、少なくとも第１の波形データに基づく音信号を発生し終えてから、第３の波形データに基づく音信号を発生し、更に第３の波形データに基づく音信号を発生し終わってから前記発音単位波形データに基づく音信号の発生を停止させ、
前記発音停止指示が与えられた際に、第２の波形データに基づく音信号が発生中である場合、第２の波形データに基づく音信号の発生を中断して、第３の波形データに基づく音信号を発生し、更に第３の波形データに基づく音信号を発生し終わってから前記発音単位波形データに基づく音信号の発生を停止させるように、
前記音信号発生手段を制御する制御手段とを、
具備する音信号発生装置。
【請求項４】
音信号を表現する少なくとも第１及び第２の発音単位波形データを記憶し、少なくとも第１の発音単位波形データは、非有意の第１の波形データと有意の第２の波形データとを含むメモリ手段と、
第１及び第２の発音単位波形データを読み出して、音信号を発生する音信号発生手段と、
少なくとも第１及び第２の発音単位波形データに対する発音開始指示を行う発音開始指示手段と、
前記発音開始指示手段による第１の発音単位波形データに対する発音開始指示が与えられて第１の発音単位波形データに基づく音信号が発生している状態において、
第２の発音単位波形データに対する発音開始指示が与えられたとき、第１の波形データに基づく音信号が発生中の場合には、第１の波形データに基づく音信号の発生を中断して、第２の発音波形データに基づく音信号を発生させ、この音信号が発生し終わってから、第２の発音単位波形データに基づく音信号を発生させ、
第２の発音単位波形データに対する発音開始指示が与えられたとき、第２の波形データに基づく音信号が発生中の場合には、この音信号が発生し終わってから、第２の発音単位波形データに基づく音信号を発生させるように、
前記音信号発生発生手段を制御する制御手段とを、
具備する音信号発生装置。
【請求項５】
コンピュータを請求項１乃至４いずれか記載の音信号発生装置の各手段として動作させるプログラムを、記憶したコンピュータが読み取り可能な記憶媒体。
【手続補正２】
【補正対象書類名】明細書
【補正対象項目名】０００９
【補正方法】変更
【補正の内容】
【０００９】
【課題を解決するための手段】
本発明の一態様の音信号発生装置は、音信号を表現する少なくとも第１及び第２の発音単位波形データを記憶しているメモリ手段を有している。少なくとも第１の発音単位波形データは、有意の第１の波形データと非有意の第２の波形データとを含んでいる。音信号は、一連の音信号、例えばフレーズとすることができる。発音単位波形データは、例えば、或るフレーズを複数の区間に区切った各区間にそれぞれ相当するデータである。第１の波形データは、例えば後述する実施の形態で言えば区間１に相当し、第２の波形データは、同じく区間２及び区間３に相当し、第２の発音単位波形データは、同じく次の発音単位波形データに相当する。なお、第２の発音単位波形データは、次の発音単位波形データに限らず、同一フレーズ或いは他のフレーズの別の発音単位波形データとすることもできる。
【手続補正３】
【補正対象書類名】明細書
【補正対象項目名】００１０
【補正方法】変更
【補正の内容】
【００１０】
この音信号発生装置は、更に第１及び第２の発音単位波形データを読み出して、音信号を発生する音信号発生手段と、第１及び第２の発音単位波形データの発音開始指示を行う発音開始指示手段とを有している。音信号発生手段は、同時に一音しか発生しないモノモードのもの又は同時に複数音発生可能なポリモードのものが使用できる。発音開始指示手段としては、発音開始指示信号を後述する制御手段に供給することができるものであればよく、例えば、この音信号発生装置が備える鍵盤等の操作子や、外部に設けられたシーケンサが発生する発生する発音開始指示信号を受信して、制御手段に供給する発音開始指示信号入力手段等を使用することができる。この音信号発生装置は、更に音信号発生手段を制御する制御手段を備えている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
前記発音開始指示手段による第１の発音単位波形データに対する発音開始指示が与えられて第１の発音単位波形データに基づく音信号が発生している状態において、、第２の発音単位波形データに対する発音開始指示が与えられたとき、第１の波形データに基づく音信号が発生中の場合には、少なくとも第１の波形データに基づく音信号を発生し終わってから、第２の発音単位波形データに基づく音信号を発生させる。
【手続補正６】
【補正対象書類名】明細書
【補正対象項目名】００１３
【補正方法】変更
【補正の内容】
【００１３】
また、前記発音開始指示手段による第１の発音単位波形データに対する発音開始指示が与えられて第１の発音単位波形データに基づく音信号が発生している状態において、第１の発音単位波形データに対する発音開始指示が与えられた後に、第２の発音単位波形データに対する発音開始指示が与えられたとき、第２の波形データに基づく音信号が発生中の場合には、第２の波形データに基づく音信号の発生を中断して、第２の発音単位波形データに基づく音信号を発生させる。
【手続補正７】
【補正対象書類名】明細書
【補正対象項目名】００１５
【補正方法】変更
【補正の内容】
【００１５】
この音信号発生装置では、第１の波形データに対応する音信号が発生中であれば、たとえ第２の単位波形データに対応する発音開始指示が与えられたとしても、必ず第１の波形データに対応する音信号が発生し、その後に第２の単位波形データに基づく音信号が発生する。即ち、第１の波形データは、中断が禁止された波形データであり、言語上または演奏上、有意な部分を第１の波形データとすることによって、必ずこの部分に対応する音信号を発生することができる。逆に、第２の波形データは中断が許容された波形データであり、状況に応じては一部しか発音されないことがある。
【手続補正８】
【補正対象書類名】明細書
【補正対象項目名】００１６
【補正方法】変更
【補正の内容】
【００１６】
本発明の別の態様の音信号発生装置も、メモリ手段を有している。このメモリ手段には、音信号を表現する少なくとも第１及び第２の発音単位波形データが記憶されている。第１の発音単位波形データは、少なくとも有意の第１の波形データと非有意の第２の波形データと有意の第３の波形データとを含んでいる。音信号は、一連の音信号、例えばフレーズとすることができる。第１の波形データは、後述する実施の形態で言えば区間１に相当し、第２の波形データは、同じく区間２、３に相当し、第３の波形データは、同じく区間４に相当し、第２の発音単位波形データは、同じく次の発音単位に相当する。
【手続補正９】
【補正対象書類名】明細書
【補正対象項目名】００１７
【補正方法】変更
【補正の内容】
【００１７】
この音信号発生装置も、第１及び第２の発音単位波形データを読み出して、音信号を発生する音信号発生手段と、発音開始指示を行う発音開始指示手段と、音信号発生手段を制御する制御手段とを、有している。音信号発生手段及び発音開始指示手段は、上述した態様の音信号発生装置の音信号発生手段及び発音開始指示手段と同様である。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
前記発音開始指示手段による第１の発音単位波形データに対する発音開始指示が与えられて第１の発音単位波形データに基づく音信号が発生している状態において、第２の発音単位波形データに対する発音開始指示が与えられたとき、第１の波形データに基づく音信号が発生中の場合には、少なくとも第１の波形データに基づく音信号を発生し終わってから、第３の波形データに基づく音信号を発生させ、更に第３の波形データに基づく音信号を発生し終わってから、第２の発音単位波形データに基づく音信号を発生させる。
【手続補正１２】
【補正対象書類名】明細書
【補正対象項目名】００２０
【補正方法】変更
【補正の内容】
【００２０】
また、前記発音開始指示手段による第１の発音単位波形データに対する発音開始指示が与えられて第１の発音単位波形データに基づく音信号が発生している状態において、第２の発音単位波形データに対する発音開始指示が与えられたとき、第２の波形データに基づく音信号が発生中の場合には、第２の波形データに基づく音信号の発生を中断して、第３の波形データに基づく音信号を発生させ、更に第３の波形データに基づく音信号を発生し終わってから、第２の発音単位波形データに基づく音信号を発生させる。
【手続補正１３】
【補正対象書類名】明細書
【補正対象項目名】００２１
【補正方法】変更
【補正の内容】
【００２１】
この音信号発生装置では、いずれかの波形データを発音中である場合に、第２の単位波形データの発音開始指示が与えられたとしても、最低限度、第１の波形データ及び第３の波形データに基づく音信号が発生し、その後に第２の単位波形データに基づく音信号が発生する。即ち、第１及び第３の波形データは、中断が禁止された波形データであり、これら波形データを有意の部分とすることによって、発音開始指示が与えられた限り、この有意な部分に対する音信号が必ず発生し、その後に第２の単位波形データに基づく音信号が発生する。第２の波形データは、中断の許容された波形データであり、発音開始指示の与えられた状況に応じては一部しか発音されないことがある。
【手続補正１４】
【補正対象書類名】明細書
【補正対象項目名】００２３
【補正方法】変更
【補正の内容】
【００２３】
本発明の他の態様の音信号発生装置も、メモリ手段を有している。このメモリ手段には、音信号を表現する発音単位波形データが記憶されている。この発音単位波形データは、有意の第１波形データと非有意の第２波形データと有意の第３波形データとを含んでいる。音信号は、一連の音信号、例えばフレーズとすることができ、第１の波形データは、後述する実施の形態で言えば区間１に相当し、第２の波形データは、同じく区間２、３に相当し、第３の波形データは、同じく区間４に相当する。
【手続補正１５】
【補正対象書類名】明細書
【補正対象項目名】００２４
【補正方法】変更
【補正の内容】
【００２４】
この音信号発生装置は、更に、前記発音単位波形データを読み出して、音信号を発生する音信号発生手段と、発音開始指示を行う発音開始指示手段と、発音停止指示を行う発音停止指示手段とを有している。音信号発生手段は、上述した２つの態様の音信号発生手段と同様である。
【手続補正１６】
【補正対象書類名】明細書
【補正対象項目名】００２５
【補正方法】変更
【補正の内容】
【００２５】
発音開始指示及び発音停止指示手段は、発音開始指示信号または発音停止指示信号を後述する制御手段に供給するものであればよく、例えば鍵盤等の操作子や、外部のシーケンサ等から供給された発音開始指示信号や発音停止指示信号を受信して、制御手段に供給する発音開始指示信号入力手段発音停止指示入力手段を使用することができる。
【手続補正１７】
【補正対象書類名】明細書
【補正対象項目名】００２６
【補正方法】変更
【補正の内容】
【００２６】
更に、この音信号発生装置は、音信号発生手段を制御する制御手段を備えている。制御手段による制御としては、前記発音停止指示が与えられた際に、第１の波形データに基づく音信号が発生中である場合、少なくとも第１の波形データに基づく音信号を発生し終えてから、第３の波形データに基づく音信号を発生し、更に第３の波形データに基づく音信号を発生し終わってから、前記発音単位波形データに基づく音信号の発生を停止させる。
【手続補正１８】
【補正対象書類名】明細書
【補正対象項目名】００２７
【補正方法】変更
【補正の内容】
【００２７】
更に、制御手段による制御としては、前記発音停止指示が与えられた際に、第２の波形データに基づく音信号が発生中である場合、第２の波形データに基づく音信号の発生を中断して、第３の波形データに基づく音信号を発生して、更に第３の波形データに基づく音信号を発生し終わってから前記発音単位波形データに基づく音信号の発生を停止させる。「中断」は、上述した「中断」と同様なものである。
【手続補正１９】
【補正対象書類名】明細書
【補正対象項目名】００３０
【補正方法】変更
【補正の内容】
【００３０】
本発明の別の態様の音信号発生装置も、メモリ手段を有している。このメモリ手段には、音信号を表現する少なくとも第１及び第２の発音単位波形データを記憶している。少なくとも第１の発音単位波形データは、非有意の第１の波形データと有意の第２の波形データとを含んでいる。音信号は、一連の音信号、例えばフレーズとすることができる。第１の波形データは、後述する実施の形態で言えば区間２及び３に相当し、第２の波形データは、同じく区間４に相当し、第２の発音単位波形データは、同じく次の波形単位に相当する。
【手続補正２０】
【補正対象書類名】明細書
【補正対象項目名】００３１
【補正方法】変更
【補正の内容】
【００３１】
この音信号発生装置は、更に、第１及び第２の発音単位波形データを読み出して、音信号を発生する音信号発生手段と、少なくとも第１及び第２の発音単位データに対する発音開始指示を行う発音開始指示手段とを有している。これらは、上述した各態様において使用されているものと同様である。
【手続補正２１】
【補正対象書類名】明細書
【補正対象項目名】００３２
【補正方法】変更
【補正の内容】
【００３２】
さらに、この音信号発生装置は、音信号発生手段を制御する制御手段を有している。
【手続補正２２】
【補正対象書類名】明細書
【補正対象項目名】００３３
【補正方法】変更
【補正の内容】
【００３３】
この制御では、前記発音開始指示手段による第１の発音単位波形データに対する発音開始指示が与えられて第１の発音単位波形データに基づく音信号が発生している状態において、第２の発音単位波形データに対する発音開始指示が与えられたとき、第１の波形データに基づく音信号が発生中の場合には、第１の波形データに基づく音信号の発生を中断して、第２の発音波形データに基づく音信号を発生させ、この音信号が発生し終わってから、第２の発音単位波形データに基づく音信号を発生させる。「中断」は、上述した実際の態様において述べた「中断」と同様なものである。更に、この制御では、前記発音開始指示手段による第１の発音単位波形データに対する発音開始指示が与えられて第１の発音単位波形データに基づく音信号が発生している状態において、、第２の発音単位波形データに対する発音開始指示が与えられたとき、第２の波形データに基づく音信号が発生中の場合には、この音信号が発生し終わってから、第２の発音単位波形データに基づく音信号を発生させる。
【手続補正２３】
【補正対象書類名】明細書
【補正対象項目名】００３４
【補正方法】変更
【補正の内容】
【００３４】
この音信号発生装置によれば、第２の発音単位波形データの発音指示が与えられると、最低限度、第２の波形データに基づく音信号を全て発生した後に、第２の発音単位波形データに基づく音信号が発生する。即ち、第２の波形データは中断が禁止された波形データであり、これを有意の部分とすることによって、第２の発音単位波形データの発音指示が与えられても、この有意な部分に対応する音信号が発生し終わった後でなければ、第２の発音単位波形データに基づく音信号は発生しない。第１の波形データは、中断の許された波形データであり、発音指示の与えられた状況に応じては一部しか発音されないことがある。
【手続補正２４】
【補正対象書類名】明細書
【補正対象項目名】００３５
【補正方法】変更
【補正の内容】
【００３５】
第１の波形データは、繰り返し読み出される波形データとすることができる。この場合、制御手段は第２の発音単位波形データに対する発音指示が与えられていない間、第１の波形データに対応する音信号を繰り返し発生する。また、第１の波形データは、後述する実施の形態における区間１の波形データのみとして区間２、３の波形データを省略したもの、区間１、２のみとして区間３を省略したもの、区間１、２、３としたもの、区間１を省略して、区間２、３としたもの、区間１、２を省略して、区間３のみとしたものとできる。いずれの場合でも、次の発音単位波形データに対する発音指示が与えられると、直ちに現在発音中の音信号を中断して、区間４の音信号を発生し、これが終了した後に、次の発音単位波形データに基づいて音信号が発生する。
【手続補正２５】
【補正対象書類名】明細書
【補正対象項目名】０１０８
【補正方法】変更
【補正の内容】
【０１０８】
【発明の効果】
以上のように、本発明によれば、例えば第１及び第２の波形データを含むような或る発音単位波形データを読み出している状態で、次の発音単位波形データの読み出し開始指示がなされた場合や、発音中の発音単位波形データの発音停止指示がなされた際に、直ちに次の発音単位波形データの読み出しを開始してしまったり、読み出しを停止してしまうと、意味が分からなくなる区間を読み出し中である場合には、少なくともそういった有意な部分として予め設定されている部分は、必ず読み出してから、次の部分の読み出しを開始したり、停止したりするようになっている。反対に、次の発音単位波形データの読み出し開始指示がなされた場合や、この発音単位波形データの発音停止指示がなされた際に、直ちに別の部分の読み出しを開始しても構わない部分（有意でない部分）を読み出している場合には、他の部分の読み出しを開始するようになっている。従って、本願によれば、有意な部分の発音が中断されたり、時系列的に連続して再生すべき発音単位波形データが同時に重なって発音されるようなことがなく、複数の発音単位波形データで構成されるフレーズの持つ意味を保証しつつ、素早く次の発音単位波形データの発音を開始したり、発音単位波形データの後半部を発音させることが可能になる。